(57)【要約】【課題】別個のポンプあるいはモータなどの駆動源を必要としないガイド機構のための潤滑油循環機構を提供する。【解決手段】シリンダ４とそのシリンダに摺動自在なガイドロッド５とを備え、それらの相対的な往復移動によりプレス装置１６のスライド２３の昇降をガイドするガイド機構２と、前記シリンダとガイドロッドの隙間６に潤滑油７を給油し、その給油された潤滑油を回収する循環回路３とからなり、ガイドロッドが、シリンダとの隙間の小さい大径部５ｂと、それより小さな径の小径部５ｃとを有し、前記ガイドロッドとシリンダとの隙間がシリンダの両端付近で油密にされ、前記隙間の閉じられた油溜り９が形成され、その油溜りに前記大径部と小径部とが、前記スライドの昇降に伴い交互に出入りし、油溜りの容積を増減させ、その容積の増大により循環回路から潤滑油が吸引され、減少により循環回路へ潤滑油が吐出される、ガイド機構のための潤滑油循環機構１。【選択図】図１
2014018848.tif 000002
【特許請求の範囲】
【請求項１】
シリンダとそのシリンダに摺動自在なガイドロッドとからなり、プレス装置のスライドの昇降をガイドするガイド機構と、
前記シリンダとガイドロッドの隙間に潤滑油を給油し、給油方向の流れを許す給油用の弁を備えた給油回路と、
その給油された潤滑油を回収し、回収方向の流れを許す回収用の弁を備えた回収回路とからなり、
前記シリンダあるいはガイドロッドのうち一方がスライドと共に移動する可動部材であり、他方が静止部材であり、
前記可動部材に、前記静止部材との隙間の断面積が小さくなる小隙間部と、それより隙間の断面積が大きくなる大隙間部とが形成され、
前記可動部材と前記静止部材との隙間が、前記静止部材の両端付近で油密にされ、前記隙間の閉じられた油溜りが形成され、
その油溜りに前記大隙間部と小隙間部とが、前記スライドの昇降に伴い交互に出入りし、油溜りの容積を増減させ、
その容積の増大により給油回路から前記回収された潤滑油を吸引し、減少により再び給油するために回収回路へ潤滑油を吐出している、潤滑油循環機構。
【請求項２】
前記油溜りに、ガイドロッドのストローク量と同じ間隔か、それより大きい間隔を空けて２つの連通孔が連通し、
それら連通孔にそれぞれ前記給油回路および回収回路が連通している、請求項１記載の潤滑油循環機構。
【請求項３】
前記ガイドロッドが可動部材で、前記シリンダが静止部材であり、
前記給油用の弁および回収用の弁が、前記シリンダに設けられている、請求項１または２に記載の潤滑油循環機構。
【発明の詳細な説明】
【技術分野】
【０００１】
本発明はプレス装置のスライドの直線運動の潤滑に関するものである。さらに詳しくは、スライドの昇降をガイドするガイド機構に潤滑油を循環させる機構に関する。
【背景技術】
【０００２】
特許文献１には、プレス加工における自動浸油装置が開示されている。このものは上ラムの昇降運動によりポンプを作動させ、油タンク内の油を加工製品に噴射するものである。
【０００３】
また特許文献２には、シリンダガイド及びパッキンへの給油方法が開示されている。このものは空圧式のダイクッションの空気圧を利用し、油室の油をシリンダガイド及びパッキンへ給油するものである。
【０００４】
また特許文献３には、筒状のポストメタルと、それに挿通されてガイドされる棒状のガイドポストとを備えたガイド装置が開示されている。そのポストメタルの内周面には、半径方向の外向きに凹状に形成されたポケット室が設けられている。このポケット室には外部のポンプにより油が流入している。その油は絞り弁を介して圧力がかけられている。このため前記ポケット室はいわば圧力溜りとされ、ポケット室からガイドポストの外周面に圧油を供給するのに用いられている。
【０００５】
さらに特許文献４には、回転軸の回転運動を利用して油を給油する、すべり軸受けが開示されている。このものは、回転軸に螺旋状の連続油溝を形成し、回転運動により粘性のある油を前記連続油溝に沿って回転軸の先端から後端に導くものである。
【先行技術文献】
【特許文献】
【０００６】
【特許文献１】実開昭５４−３９７８２号公報
【特許文献２】特開平１０−３３２０７８号公報
【特許文献３】特開平１０−８５９９７号公報
【特許文献４】実開平５−５４８２２号公報
【発明の概要】
【発明が解決しようとする課題】
【０００７】
特許文献１では、別個のポンプで油タンクに油を給油しなければならない。
特許文献２、３でも同様に別個のポンプによりそれぞれ油室およびポケット室に油を給油しなければならない。
また特許文献４では回転運動を潤滑油の循環に利用しているが、ガイド機構のような直線運動を潤滑油の循環に利用することを教えてない。
【０００８】
そこで本発明は、別個のポンプなどの駆動源を必要としないガイド機構のための潤滑油循環機構を提供することを課題とする。
【課題を解決するための手段】
【０００９】
本発明の潤滑油循環機構（請求項１）は、シリンダとそのシリンダに摺動自在なガイドロッドとからなり、プレス装置のスライドの昇降をガイドするガイド機構と、前記シリンダとガイドロッドの隙間に潤滑油を給油し、給油方向の流れを許す給油用の弁を備えた給油回路と、その給油された潤滑油を回収し、回収方向の流れを許す回収用の弁を備えた回
収回路とからなり、前記シリンダあるいはガイドロッドのうち一方がスライドと共に移動する可動部材であり、他方が静止部材であり、前記可動部材に、前記静止部材との隙間の断面積が小さくなる小隙間部と、それより隙間の断面積が大きくなる大隙間部とが形成され、前記可動部材と前記静止部材との隙間が、前記静止部材の両端付近で油密にされ、前記隙間の閉じられた油溜りが形成され、その油溜りに前記大隙間部と小隙間部とが、前記スライドの昇降に伴い交互に出入りし、油溜りの容積を増減させ、その容積の増大により給油回路から前記回収された潤滑油を吸引し、減少により再び給油するために回収回路へ潤滑油を吐出している潤滑油循環機構ことを特徴とする。
【００１０】
このような潤滑油循環機構において、前記油溜りに、ガイドロッドのストローク量と同じ間隔か、それより大きい間隔を空けて２つの連通孔が連通し、それら連通孔にそれぞれ前記給油回路および回収回路が連通しているのが好ましい（請求項２）。
【００１１】
また前記ガイドロッドが可動部材で、前記シリンダが静止部材であり、前記給油用の弁および回収用の弁が、前記シリンダに設けられているのが好ましい（請求項３）。
【発明の効果】
【００１２】
本発明の潤滑油循環機構（請求項１）は、可動部材と静止部材との間の隙間を静止部材の両端付近で油密にし、油溜りを形成している。そして可動部材に、前記油溜りに進入することにより油溜りの容積を減少させる、静止部材との隙間の小さい小隙間部と、前記油溜りに進入することにより油溜りの容積を増加させる、小隙間部より隙間の大きい大隙間部とを設けている。それら小隙間部と大隙間部とが、スライドの昇降と共に前記油溜りに交互に出入りすることにより、油溜りの容積の増減が繰り返される。この繰り返しにより、潤滑油の吸引および吐出が、弁を備えた循環回路（給油回路および回収回路）を介して行われる。このためポンプやモータなどの別個の駆動機構を必要としない。さらに油密な油溜りに給油回路および回収回路が連結され、閉回路とされているので、潤滑油を循環させることができる。また循環しているので、シリンダとガイドロッドの摺動で発生した熱を効率的にガイド機構内から除去することができる。さらに給油回路や回収回路にフィルタを設ければ、万一摺動による磨耗紛が潤滑油に混入しても容易に除去できる。また摺動部が油密になっている油溜り内にあるので、潤滑油の飛散を防止できる。
その上で、静止部材となる、ガイドロッドまたはシリンダのうち一方の油溜りを挟んで離れた２箇所で、可動部材となる他方の、ガイドロッドまたはシリンダを摺動自在にガイドする。このため本発明の潤滑油循環機構は、スライドの昇降をガイドする機能と、潤滑油を吸引・吐出するポンプ機構とを、簡易な機構でかつ、省スペースで兼ねている。
またスライドの１ストローク当たりの潤滑油の循環量は、例えばガイドロッドを可動部材とした場合には、スライドの上死点と下死点における油溜りの容積の変化量、すなわち静止部材と可動部材の間に形成された小隙間部の断面積と、大隙間部の断面積との面積差にスライドのストローク量（長さ）を乗じた値になる。ここで言う断面積とは、可動部材のストローク方向と直角をなす面の断面積である。
スライドストローク量（長さ）や、ガイド機構として要求される強度や剛性を得る為のガイドロッドの最小外径は、要求されるプレス機械の基本仕様や動的精度により決められるものである。ガイド機構に必要な潤滑油の循環量を得るためには、スライドストローク量（長さ）に対応して、必要な潤滑油の循環量を得られるような小隙間部と大隙間部との断面積の差を求め、その後この断面積の差を実現できるように、ガイドロッドの径を前記最小外径以上にするという条件の下に、可動部材の大径部と小径部の径を決めればよい。
より具体的には、ガイド機構の大隙間部に十分なガイドのための強度を備えた設計を行い、その後に必要な潤滑油の循環量から決まる小隙間部と大隙間部との断面積差を考慮して小隙間部を設計することができるので、必要なスライドのストローク量（長さ）とガイド機構としての強度・剛性を確保しつつ、必要な潤滑油の循環量が得られる。
【００１３】
このような潤滑油循環機構において、前記油溜りに、ガイドロッドのストローク量と同じ間隔か、それより大きい間隔を空けて２つの連通孔が連通し、それら連通孔にそれぞれ前記給油回路および回収回路が連通している場合は（請求項２）、スライドの１ストローク毎に、給油用の連通孔から油溜り内を経て回収用の連通孔へ向かう潤滑油の流れが生じる。それにより油溜り内における、潤滑油の滞留するデッドスポットの形成を防止できる。
【００１４】
また前記ガイドロッドが可動部材で、前記シリンダが静止部材であり、前記給油用の弁および回収用の弁が、前記シリンダに設けられている場合は（請求項３）、循環回路が固定され、動かない。そして外側に配置されたシリンダに配管するので、簡単な機構である。
【図面の簡単な説明】
【００１５】
【図１】図１は本発明の潤滑油循環機構の作動状態を示す概略断面図である。
【図２】図２はプレス装置の正面図である。
【図３】図３は図１の潤滑油循環機構の作動する様子を示す概略工程図である。
【図４】図４は本発明の潤滑油循環機構の他の実施形態の作動状態を示す概略断面図である。
【図５】図５は本発明の潤滑油循環機構のさらに他の実施形態の作動状態を示す概略断面図である。
【図６】図６は本発明の潤滑油循環機構のさらに他の実施形態の作動状態を示す概略断面図である。
【発明を実施するための形態】
【００１６】
まず図２を用いて本発明の潤滑油循環機構の用いられるプレス装置１６を説明する。なお図２の正面図においてスライドの昇降する方向を上下方向とする。また前後方向とは図２の正面図に記載されている側を前としている。さらに左右方向とは図２の紙面の左右で、すなわち正面から背面を向いたときを基準とする。
【００１７】
前記プレス装置１６は、潤滑油循環機構１以外は従来公知のプレス装置であり、例えばベッド１７と、そのベッド１７の前後左右の４箇所から立ち上がる４本のコラム１８と、それらのコラム１８の上端に設けられるクラウン１９とから構成される枠状のフレームを備えたものである。ベッド１７の上方にはボルスタ２０が設けられている。またクラウン１９には、クランク軸２１の端部が回転自在に支持されている。そのクランク軸の偏心部には、コネクティングロッド２２の大端部が回転自在に取り付けられている。そのコネクティングロッド２２の下端にはスライド２３が連結されている。そのスライド２３の下面には図示しない上型が、前記ボルスタ２０の上面には図示しない下型が、それぞれ取り付けられる。
【００１８】
前記スライド２３の昇降はガイド機構２でガイドされている。そのガイド機構２には、潤滑油が供給されている。前記ガイド機構２は、図ではスライド２３の左右の２か所に設けられているが、前後左右の４か所に設けてもよい。
【００１９】
図１に潤滑油循環機構１の概略図を示す。左右の潤滑油循環機構１、１は同じであるので、左方の潤滑油循環機構１について説明し、右方の潤滑油循環機構１の説明は省略する。その潤滑油循環機構１は、前記ガイド機構２と、前記シリンダ４とガイドロッド５の隙間６に潤滑油７を給油し、給油した潤滑油７を回収する循環回路３とからなる。
【００２０】
前記ガイド機構２は、シリンダ４と、そのシリンダ４に摺動自在なガイドロッド５とを備えている。図１ではシリンダ４が静止部材で、ガイドロッド５が可動部材である。前記
ガイド機構２のシリンダ４は、図ではベッド１７に設けられているが、静止している部材や床面に取り付けてもよい。一方、ガイドロッド５はスライド２３に設けられている。前記ガイドロッド５は、シリンダ４に対し往復移動することによりプレス装置１６のスライド２３の昇降をガイドしている。
またシリンダ４を可動部材とし、ガイドロッド５を静止部材とすることについては、後述する（図５参照）。
【００２１】
前記シリンダ４は筒状であり、その内部に柱状のガイドロッド５が摺動自在に通されている。この実施形態では、シリンダ４を円筒形状とし、ガイドロッド５をシリンダ４の円筒内に挿通される円柱形状としている。
また図示していないが、断面を矩形状としたガイドロッド５をそれと同形の開口部を有するシリンダ４に摺動自在に通してもよい。
【００２２】
前記シリンダ４は、シリンダチューブ４ａと、その上下に設けられる上部ガイドロッドカバー４ｂと、下部ガイドロッドカバー４ｃとを備えている。それら上部ガイドロッドカバー４ｂおよび下部ガイドロッドカバー４ｃの内面には、シール８、８が設けられている。そのシール８は、前記ガイドロッド５の外周面に当接しており、シリンダ４の内周面とガイドロッド５の外周面との間を油密にしている。これにより、シリンダ４の内周面とガイドロッド５の外周面との間の隙間６の一部に閉じられた空間が形成される。その空間が、潤滑油７が溜められる油溜り９である。
前記シリンダ４は、シリンダチューブ４ａと、上下のガイドロッドカバー４ｂ、４ｃとに３分割できる。このためシール８の交換などのメンテナンス作業が容易である。
前記シール８としては、オイルシールを用いるのが好ましく、リップパッキン、Ｏリングなどの従来公知の接触形のものが用いられる。
【００２３】
前記ガイドロッド５には、軸方向の中間付近に形成された段部５ａを介して上方の小隙間部（以下、大径部）５ｂと、下方の大隙間部（以下、小径部）５ｃとが設けられている。前記大径部５ｂはシリンダチューブ４ａの内周面との隙間（図１の上図の符号６ａ参照）が小さく、小径部５ｃはその隙間（図１の下図の符号６ｂ参照）が大きい。
前記段部５ａは、図では軸線に直角であるが、図３に示すように傾斜させたり、図示していないが湾曲させて、小径部５ｃから大径部５ｂへ滑らかに連続させるようにしてもよい。
【００２４】
前記ガイドロッド５の大径部５ｂと小径部５ｃとは、同軸にされ、相似形である。また大径部５ｂと小径部５ｃとを偏心させて配置したり、非相似形にしてもよい。偏心して配置したり、非相似形の場合には、大径部５ｂ、小径部５ｃの大小は、それらの平均径が基準にされる。またそれらの平均断面積を基準にしてもよい。
なお図示していないが、前記ガイドロッド５の大径部５ｂあるいは小径部５ｃのシール８と当接しない部分を、円錐状にしたり、それらの周面に局所的に凹凸を設けたりしてもよい。
【００２５】
図１の実施形態において、前記ガイドロッド５は、スライド２３が下降した際に、すなわちプレス加工の際に、大径部５ｂ（小さい隙間６ａ側）がシリンダチューブ４ａの内周面に対向するように大径部５ｂが小径部５ｃの上側に配置されている。
すなわちガイドロッド５の大径部５ｂは上部ガイドロッドカバー４ｂにガイドされ、小径部５ｃは下部ガイドロッドカバー４ｃによってガイドされる。このようにガイドロッド５は、上下に離れた上部ガイドロッドカバー４ｂと下部ガイドロッドカバー４ｃとでガイドされるので、ガイド機構２はスライドの昇降を精度良くガイドする。
【００２６】
前記ガイドロッド５の段部５ａは、油溜り９内を上下に移動する。その段部５ａの移動
する量は、スライド２３のストローク量と同じである。このため前記油溜り９の軸方向の長さ、すなわち上下のシール８、８の間隔は、スライド２３のストローク量と同じか、それより長くされる。
【００２７】
前記油溜り９には、ガイドロッド５の大径部５ｂと小径部５ｃとが、前記スライド２３の昇降に伴い交互に出入りする。すなわち図１の上図に示すように、前記スライド２３が下降すると、大径部５ｂが下降して、油溜り９内に入り込み、油溜り９の容積は小さくなっている。一方、図１の下図に示すように、前記スライド２３が上昇すると、前記大径部５ｂが上方に抜け、小径部５ｃが上昇し、今度は小径部５ｃが油溜り９内に入り込み、油溜り９の容積は大きくなっている。このように油溜り９の容積は、大径部５ｂと小径部５ｃの断面積の差にスライドストロークを乗じた分だけ増減する。その容積の増大により循環回路３から潤滑油７が吸引され、減少により循環回路３へ潤滑油７が吐出される。
【００２８】
前記循環回路３は、潤滑油７のタンク１０と、そのタンク１０と油溜り９とを連結する給油／回収用の配管１１ａ、１１ｂとを備えている。その給油用の配管１１ａには、前記油溜り９に潤滑油７を給油する方向の流れを許す給油用の逆止弁１２ａが設けられている。一方、回収用の配管１１ｂには、前記給油された潤滑油７を回収する方向の流れを許す回収用の逆止弁１２ｂが設けられている。
前記給油用の配管１１ａと、給油用の逆止弁１２ａとは、給油回路１４を構成している。一方、前記回収用の配管１１ｂと、回収用の逆止弁１２ｂとは回収回路１５を構成している。
【００２９】
前記タンク１０は、大気圧下に開放されている。前記回収用の配管１１ｂはタンク１０の潤滑油７の油面より上方に連通している。前記給油用の配管１１ａはタンク１０の底面に連通されている。前記タンク１０の潤滑油７の油面は、油溜り９の上端より上方に配置されていると、潤滑油７が油溜り９に給油されやすい。
【００３０】
前記給油用および回収用の逆止弁１２ａ、１２ｂは、チェック弁とも呼ばれる従来公知のものである。それら逆止弁１２ａ、１２ｂには、バネなどの付勢部材の付勢力によりクラッキング圧がかかっており、前記油溜り９内の油圧と大気圧（タンク内圧力）の差が、そのクラッキング圧を超えると、前記逆止弁１２ａ、１２ｂに潤滑油７が流れる。
【００３１】
また前記逆止弁１２ａ、１２ｂは、流れの方向を制御する弁（バルブ）、すなわち方向制御弁であればよい。例えば逆止弁１２ａ、１２ｂの代わりに、機械式切換弁や電磁切換弁を用いる場合、給油時には、給油用の弁を開とし、回収用の弁を閉とし、回収時には給油用の弁を閉とし、回収用の弁を開とすればよい。これら弁をスライド２３の昇降に連動して開閉させるためには、所定のタイミング、例えばプレスのスライド２３を駆動するクランク軸２１（図２参照）の角度に応じて、弁を切り換えるための切換駆動装置や制御装置が別途必要になる。
このような機械式切換弁や電磁切換弁を用いる利点は、例えば逆止弁では、油溜り９にエアが混入した場合とそうでない場合とで、大気圧（タンク圧）と油溜り９との圧力差により、逆止弁のクラッキング圧に達するタイミングが異なる、すなわちエアが混入することにより、逆止弁が開閉動作するスライド２３の昇降位置が変わるが、前記機械式切換弁や電磁切換弁では、クランク角度に対応してその開閉を行うことができる、という点が挙げられる。従って、より正確な潤滑油７の循環量を得られる。
一方、逆止弁１２ａ、１２ｂを用いる利点は、スライド２３の昇降に伴う油溜り９の圧力変動により、給油回路１４と回収回路１５の弁の開閉が自動的に行われるので、所定のタイミングで弁を切り換えるための前述の切換駆動装置や制御装置を必要としない、という点である。
【００３２】
前記シリンダ４には、ガイドロッド５のストローク量と同じ間隔を空けて２つの連通孔１３ａ、１３ｂが形成され、油溜り９に連通している。それら連通孔１３ａ、１３ｂには、それぞれ前記給油用の逆止弁１２ａおよび回収用の逆止弁１２ｂに連通している。このためスライドの１ストローク毎に、給油用の連通孔１３ａから油溜り９内を経て回収用の連通孔１３ｂへ向かう潤滑油の流れが生じる。それにより、油溜り９内の、潤滑油７の滞留するデッドスポットの形成を防止できる。
【００３３】
ここから図３を用いて潤滑油循環機構１の作動する様子を説明する。工程Ｓ１では、スライド２３（図２参照）が下降端にあり、大径部５ｂの大部分が油溜り９内（図の斜線部参照）に配置され、その油溜り９に潤滑油７が給油されている（Ｓ１）。次いで、スライド２３の上昇と共に大径部５ｂが上方に抜け、小径部５ｃが油溜り９内へ進入し、油溜り９の容積が増大し、その内部の油圧が減少する。油圧の減少により、給油用の逆止弁１２ａから油溜り９に向けて潤滑油７が流れる（Ｓ２）。そして、スライド２３が上昇端に到達する（Ｓ３）。次いでスライド２３が下降すると、大径部５ｂが油溜り９内へ進入し、油溜り９の容積が減少し、内部の油圧が増大する。その油圧の増大により回収用の逆止弁１２ｂからタンク１０に向けて潤滑油７が流れる（Ｓ４）。そして、スライド２３が下降端に到達する（Ｓ１）。
【００３４】
前記潤滑油循環機構１によれば、ポンプやモータなどの別個の機構を備えなくても、潤滑油７の吸引と吐出を行うことができる。すなわちスライド２３の昇降をガイドする機能と、潤滑油７を吸引・吐出するポンプとしての機構とを、簡易な機構でかつ、省スペースで兼ねている。
また油密にされた油溜り９に給油回路１４および回収回路１５が連結され、閉回路とされているので、潤滑油７を循環させることができる。潤滑油７が循環しているので、シリンダ４とガイドロッド５の摺動で発生した熱を効率的にガイド機構２内から除去できる。さらにタンクまたは給油回路１４にフィルタを設ければ、万一摺動による磨耗紛が潤滑油７内に混入した場合でも、それを容易にガイド機構２内から除去することができる。さらに給油回路１４、回収回路１５、及びその内部に上下のガイドロッドカバー４ｂ，４ｃとガイドロッドとの摺動部を有する油溜り９の何れにおいても、潤滑油は外部に開放されていないので、潤滑油７の飛散を防止できる。
またスライド２３の１ストローク当たりの潤滑油７の循環量は、油溜り９の容積の変化量、すなわちガイドロッド５の大隙間部５ｂの断面積と小隙間部５ｃの断面積との断面積差にガイドロッド５のストローク量を乗じた値になる。ここでいう断面積とは、ガイドロッド５のストローク方向と直角をなす面の断面積のことである。すなわち、要求されるプレス機械の基本仕様や要求されるプレス機械の動的精度によりスライドストローク量（長さ）やガイドロッドの最小外径が決められていても、可動部材の大径部と小径部の断面積の差を任意に決定することにより、ガイド機構２の潤滑油７のプレススライド１ストロークあたりの循環量を任意に設定できる。
より具体的には、ガイド機構の大隙間部に十分なガイドのための強度を備えるように設計を行い、その後に必要な潤滑油の循環量から決まる小隙間部と大隙間部との断面積差を考慮して小隙間部を設計することができるので、必要なスライドのストローク量（長さ）とガイド機構としての強度・剛性を確保しつつ、必要な潤滑油の循環量が得られる
【００３５】
また図示していないが、前記タンク１０を大気圧に開放しないで、タンク１０の上方にいくらか空気を入れた状態で密閉してもよい。またタンクの代わりに給油回路１４と回収回路１５の潤滑油量の変動を吸収するアキュムレータを取り付けても良い。さらにスライド２３の１ストロークあたりの循環量が十分少ない場合には、前記給油および回収用の配管１１ａ、１１ｂに、圧力の変動に対応して内容積が変動できるゴムホースを用いると共に、タンク１０を介さないで配管１１ａと１１ｂを直接接続することで、前記タンク１０を省略してもよい。
一方、上下のシール８、８の間隔が短い場合、１つの連通孔から１本の配管を延ばし、それを途中で給油用の回路と回収用の回路に分岐してもよい。
【００３６】
図４に潤滑油循環装置の他の実施形態を示す。上図はスライド２３（図２参照）が下降端にある状態を示し、下図は上昇端にある状態を示している。下部ガイドロッドカバー４ｃの内面と、シリンダチューブ４ａの内面とは面一にされている。そして下方のシール８に大きな隙間を油密にできるシール８を用いている。作用は図１の潤滑油循環装置１と同じである。
【００３７】
図５に潤滑油循環装置のさらに他の実施形態を示す。このものはシリンダ４を可動部材とし、ガイドロッド５を静止部材としたものである。上図はスライド２３（図２参照）が下降端にある状態を示し、下図は上昇端にある状態を示している。なお図１の実施形態と共通する部分の詳細な説明は省略する。
このもののガイドロッド５は、円柱形状であり、その長尺な軸に垂直な断面形状は円形である。その断面形状は矩形状など他の形状にすることもできるが、前記軸方向に同じ断面形状であるのが好ましい。そのガイドロッド５の上下にはシール８、８が設けられている。
また前記ガイドロッド５は、中央の部位と、上下のシール８、８が設けられている部位とに３分割できる機構にすると、シール８、８の交換などのメンテナンスが容易になる。作用は図１の潤滑油循環装置１と同じである。
【００３８】
前記シリンダ４には、その内周面の軸方向の中間付近に段部４ｄが形成されている。そして、その段部４ｄを介して上方の小内径部４ｅと、下方の大内径部４ｆとが形成されている。
前記小内径部４ｅは、ガイドロッド５の外周面との隙間（上図の符号６ａ参照）が小さく、大内径部４ｆは前記隙間（下図の符号６ｂ参照）が大きい。このため大内径部４ｆとガイドロッド５の外周面とを油密にする下方のシール８は、大きな隙間を油密にできるものが採用される。前記シリンダ４の大内径部４ｆと小内径部４ｅとは、同軸にされ、相似形である。これらを偏心させて配置したり、非相似形にしてもよい。
【００３９】
図では前記シリンダ４が下降した際、すなわちプレス加工の際に、シリンダ４の小内径部４ｅ（小さい隙間６ａ側）がガイドロッド５の外周面に対向するように配置されている。また図示していないが、シリンダ４の上方を大内径部４ｆとし、下方を小内径部４ｅとしてもよい。
【００４０】
循環回路３は、静止部材であるガイドロッド５に連結されている。そのガイドロッド５の外周面には、給油用の連通孔１３ａと回収用の連通孔１３ｂが形成されている。またガイドロッド５には、その下端から長手方行の上方に延び、途中で半径方向の外向きに延びる２本の給油用および回収用の油路５ｄ、５ｅが形成されている。それら給油用の油路５ｄおよび回収用の油路５ｅは、それぞれ給油用の連通孔１３ａと、回収用の連通孔１３ｂとに連通している。
【００４１】
次に図５のガイドロッド５の他の実施形態を示す。図６に示すように、ガイドロッド５の下方の部分が拡径している。このため下方のシール８、すなわち大内径部４ｆとガイドロッド５の外周とのシール８に、上方のシール８の場合とほぼ同じ幅の隙間を油密にできるものを採用することができる。
【００４２】
前記給油用の配管１１ａおよび回収用の配管１１ｂは、可動部材に取り付けることもできる。しかしそれを静止部材に連結するのが好ましい。配管が動かないので、配管や取付けが容易になるからである。
【符号の説明】
【００４３】
１  潤滑油循環機構
２  ガイド機構
３  循環回路
４  シリンダ
４ａ  シリンダチューブ
４ｂ  上部ガイドロッドカバー
４ｃ  下部ガイドロッドカバー
４ｄ  段部
４ｅ  小内径部
４ｆ  大内径部
５  ガイドロッド
５ａ  段部
５ｂ  大径部
５ｃ  小径部
５ｄ  給油用の油路
５ｅ  回収用の油路
６  隙間
６ａ  小さい隙間
６ｂ  大きい隙間
７  潤滑油
８  シール
９  油溜り
１０  タンク
１１ａ  給油用の配管
１１ｂ  回収用の配管
１２ａ  給油用の逆止弁
１２ｂ  回収用の逆止弁
１３ａ  給油用の連通孔
１３ｂ  回収用の連通孔
１４  給油回路
１５  回収回路
１６  プレス装置
１７  ベッド
１８  コラム
１９  クラウン
２０  ボルスタ
２１  クランク軸
２２  コネクティングロッド
２３  スライド
【図１】
2014018848.tif 000003
【図２】
2014018848.tif 000004
【図３】
2014018848.tif 000005
【図４】
2014018848.tif 000006
【図５】
2014018848.tif 000007
【図６】
2014018848.tif 000008